(57)【特許請求の範囲】
【請求項１】
仮想マシンシステムにおける管理サーバであって、
ホストに配置された仮想マシンの配置状態を示す配置情報を収集する配置収集手段と、
前記配置収集手段によって収集された配置情報を記録格納手段に格納する配置記録手段と、
配置状態を復元する条件が成立すると、前記記録格納手段に格納されている配置状態に従って仮想マシンを再配置する配置復元手段とを備え、
前記配置復元手段は、前記記録格納手段に格納されている配置情報と、前記配置収集手段によって収集される現在の配置情報とを比較して、前記記録格納手段に格納されている配置情報に存在せず、現在の配置情報に存在する仮想マシンがある場合には、当該仮想マシンを前記ホスト以外の場所に移動する
ことを特徴とする管理サーバ。
【請求項２】
配置復元手段は、あらかじめ決められているタイミングで、記録格納手段に格納されている配置状態に従って仮想マシンを再配置する
請求項１記載の管理サーバ。
【請求項３】
仮想マシンのホストに対する割り当てを自動的に変更する自動配置制御の機能を有する自動配置手段を備え、
前記自動配置手段は、配置収集手段が配置情報を収集する間、および配置復元手段が仮想マシンを再配置する間は、自動配置制御の機能を抑制する
請求項１または請求項２記載の管理サーバ。
【請求項４】
管理サーバは、別の管理サーバと通信可能に接続され、
配置復元手段は、記録格納手段に格納されている配置情報と、配置収集手段によって収集される現在の配置情報とを比較して、現在の配置情報に存在せず、前記記録格納手段に格納されている配置情報に存在する仮想マシンがある場合には、当該仮想マシンが前記別の管理サーバの配下に存在しないか確認し、当該仮想マシンの管理サーバへの移動を要求する
請求項１から請求項３のうちのいずれか１項に記載の管理サーバ。
【請求項５】
仮想マシンシステムにおける、別の管理サーバと通信可能に接続された管理サーバであって、
ホストに配置された仮想マシンの配置状態を示す配置情報を収集する配置収集手段と、
前記配置収集手段によって収集された配置情報を記録格納手段に格納する配置記録手段と、
配置状態を復元する条件が成立すると、前記記録格納手段に格納されている配置状態に従って仮想マシンを再配置する配置復元手段とを備え、
前記配置復元手段は、前記記録格納手段に格納されている配置情報と、前記配置収集手段によって収集される現在の配置情報とを比較して、現在の配置情報に存在せず、前記記録格納手段に格納されている配置情報に存在する仮想マシンがある場合には、当該仮想マシンが前記別の管理サーバの配下に存在しないか確認し、当該仮想マシンの管理サーバへの移動を要求する
ことを特徴とする管理サーバ。
【請求項６】
仮想マシンシステムにおける管理サーバで実行される仮想マシン配置制御方法であって、
ホストに配置された仮想マシンの配置状態を示す配置情報を収集し、
前記収集された配置情報を記録格納手段に格納し、
配置状態を復元する条件が成立すると、前記記録格納手段に格納されている配置状態に従って仮想マシンを再配置し、
前記記録格納手段に格納されている配置情報と、収集される現在の配置情報とを比較して、前記記録格納手段に格納されている配置情報に存在せず、現在の配置情報に存在する仮想マシンがある場合には、当該仮想マシンを前記ホスト以外の場所に移動する
ことを特徴とする仮想マシン配置制御方法。
【請求項７】
あらかじめ決められているタイミングで、記録格納手段に格納されている配置状態に従って仮想マシンを再配置する
請求項６記載の仮想マシン配置制御方法。
【発明の詳細な説明】
【技術分野】
【０００１】
本発明は、仮想マシンシステムを管理する管理サーバおよび仮想マシン配置制御方法に関する。
【背景技術】
【０００２】
複数の仮想マシンをホストの物理メモリ上で動作させる仮想マシンシステムでは、仮想マシンの配置は、それぞれの仮想マシンにおけるＣＰＵ（Central Processing Unit ）やＩ／Ｏ（Input ／Output）の使用状況および管理性を考慮して決定される。
【０００３】
従来の仮想マシンシステムには、仮想マシンシステム全体の負荷の分散や省電力のために、ホストのリソース（例えば、物理メモリやコア数等）を仮想マシンに適切に割り当て、自動で仮想マシンを再配置する、自動配置制御の機能を有するものがある。自動配置制御を行うことによって、複数のホストのリソースを複数の仮想マシンシステムに効率よく割り当てることができる。
【０００４】
特許文献１には、仮想マシンの配置に関する履歴ログを一元管理する管理システムが記載されている。特許文献１に記載された管理システムでは、仮想マシンの移動の履歴を記録することができるので、例えば、自動配置制御によって仮想マシンの配置状態が変化しても、管理者は、任意に履歴ログを参照し、配置状態の変化を把握することができる。
【先行技術文献】
【特許文献】
【０００５】
【特許文献１】特開２００７−３２３２４４号公報（段落００６９−００７３）
【発明の概要】
【発明が解決しようとする課題】
【０００６】
しかし、動的に仮想マシンを再配置する仮想マシンシステムにおいて、仮想マシンを配置しているホストのメンテナンス（例えば、パッチの適用、ファームウェアの更新、またはハードウェアの交換）等を行う場合には、当該ホストに配置される仮想マシンが動的に変化する可能性があるので、メンテナンスによってどの仮想マシンが提供するサービスが停止するか、といった予測が難しい。したがって、ホストのメンテナンス等を行う場合には、仮想マシンの配置状態を特定の配置状態にする必要がある。
【０００７】
特許文献１に記載された管理システムでは、管理者が参照した任意の履歴ログに基づいて、仮想マシンを所定の配置状態に再配置することができるが、例えば、自動配置制御の機能を備えた仮想マシンシステムでは、頻繁に仮想マシンの配置状態が変更されることがあり、多様な履歴ログが生成される可能性がある。その結果、管理者または保守者は、どの履歴ログを参照して再配置を行うべきかの判断が難しい。また、運用時間が経過するにつれて履歴ログは増えていくため、管理者または保守者にはますます判断が難しくなる可能性がある。
【０００８】
そこで、本発明は、仮想マシンの配置状態を簡単に特定の配置状態に戻すことができる管理サーバおよび仮想マシン配置制御方法を提供することを目的とする。
【課題を解決するための手段】
【０００９】
本発明による管理サーバは、仮想マシンシステムにおける管理サーバであって、ホストに配置された仮想マシンの配置状態を示す配置情報を収集する配置収集手段と、配置収集手段によって収集された配置情報を記録格納手段に格納する配置記録手段と、配置状態を復元する条件が成立すると、記録格納手段に格納されている配置状態に従って仮想マシンを再配置する配置復元手段とを備え、配置復元手段は、記録格納手段に格納されている配置情報と、配置収集手段によって収集される現在の配置情報とを比較して、記録格納手段に格納されている配置情報に存在せず、現在の配置情報に存在する仮想マシンがある場合には、当該仮想マシンをホスト以外の場所に移動することを特徴とする。
【００１０】
本発明による管理サーバは、仮想マシンシステムにおける、別の管理サーバと通信可能に接続された管理サーバであって、ホストに配置された仮想マシンの配置状態を示す配置情報を収集する配置収集手段と、配置収集手段によって収集された配置情報を記録格納手段に格納する配置記録手段と、配置状態を復元する条件が成立すると、記録格納手段に格納されている配置状態に従って仮想マシンを再配置する配置復元手段とを備え、配置復元手段は、記録格納手段に格納されている配置情報と、配置収集手段によって収集される現在の配置情報とを比較して、現在の配置情報に存在せず、記録格納手段に格納されている配置情報に存在する仮想マシンがある場合には、当該仮想マシンが別の管理サーバの配下に存在しないか確認し、当該仮想マシンの管理サーバへの移動を要求することを特徴とする。
また、本発明による仮想マシン配置制御方法は、仮想マシンシステムにおける管理サーバで実行される仮想マシン配置制御方法であって、ホストに配置された仮想マシンの配置状態を示す配置情報を収集し、収集された配置情報を記録格納手段に格納し、配置状態を復元する条件が成立すると、記録格納手段に格納されている配置状態に従って仮想マシンを再配置し、記録格納手段に格納されている配置情報と、収集される現在の配置情報とを比較して、記録格納手段に格納されている配置情報に存在せず、現在の配置情報に存在する仮想マシンがある場合には、当該仮想マシンをホスト以外の場所に移動することを特徴とする。
【発明の効果】
【００１１】
本発明によれば、仮想マシンの配置状態を簡単に特定の配置状態に戻すことができる。
【図面の簡単な説明】
【００１２】
【図１】本発明による第１の実施形態の管理サーバを含む仮想マシンシステムの構成例を示すブロック図である。
【図２】図１に示す管理サーバによる特定の配置状態を記録する処理を示すフローチャートである。
【図３】図１に示す管理サーバによる初期設定に復元する処理を示すフローチャートである。
【図４】図３に示す復元処理を示すフローチャートである。
【図５】本発明による管理サーバの主要部を示すブロック図である。
【発明を実施するための形態】
【００１３】
実施形態１．
図１は、本発明による第１の実施形態（実施形態１）の管理サーバを含む仮想マシンシステムの構成例を示すブロック図である。図１を参照して、本発明による第１の実施形態の管理サーバ１００を含む仮想マシンシステムの構成について説明する。
【００１４】
図１に示す仮想マシンシステムには、管理サーバ１００、ホスト１１１〜１１ｎ（以下、ホスト群１１０と総称することがある。）、および上位ホスト１３０が含まれている。管理サーバ１００、ホスト１１１〜１１ｎ、および上位ホスト１３０は、例えば、プログラムの制御に従って動作する情報処理端末である。ホスト群１１０の各ホストは、仮想マシン１２１〜１２ｎ（以下、仮想マシン群１２０と総称することがある。）に、仮想マシン環境を提供する。
【００１５】
管理サーバ１００は、プログラムによる制御に従って動作する。管理サーバ１００は、上位ホスト１３０、ホスト群１１０、および仮想マシン群１２０と通信可能であり、仮想マシンシステム全体から情報を集積し制御する。
【００１６】
管理サーバは、配置記録手段１０１、配置復元手段１０２、配置収集手段１０３、記録格納手段１０４、および自動配置手段１０５を備える。管理サーバ１００は、管理サーバ１００に接続可能なユーザ端末（図示せず）から、ユーザの指示として、仮想マシンの配置状態を記録する配置記録の指示や、以前に記録した仮想マシンの配置状態に復元する配置復元の指示を受けとる。
【００１７】
配置記録手段１０１は、管理サーバ１００がユーザ端末から配置状態を記録する指示を受けると、配置収集手段１０３に配置情報の収集を指示し、配置収集手段１０３が収集した配置情報に基づいて、配置記録を作成する。
【００１８】
配置復元手段１０２は、管理サーバ１００がユーザ端末から仮想マシンの配置状態を復元する指示を受けると、記録格納手段に格納されている配置記録と、現在の仮想マシンの配置状況とを比較し、仮想マシン群１２０を再配置して配置記録に記録された仮想マシン構成を復元する。
【００１９】
配置収集手段１０３は、配置記録手段１０１から配置情報を収集する指示を受けると、上位ホスト１３０やホスト群１１０と通信を行って、ホスト群１１０に配置されている仮想マシン群１２０の各仮想マシンについての配置状態を示す配置情報を収集し、収集した配置情報を配置記録手段１０１に出力する。仮想マシンの配置情報は、仮想マシンがどのようにホスト群１１０に配置されているかを示す情報であり、例えば、仮想マシンに割り当てられた物理メモリを示すデータや、仮想マシンに割り当てられたＣＰＵのコア数等によって構成される。
【００２０】
記録格納手段１０４は、配置記録手段１０１が作成した配置記録を格納する格納領域である。なお、記録格納手段１０４は、管理サーバ１００内にあってもよいし、管理サーバ１００に接続可能な外部にあってもよい。
【００２１】
自動配置手段１０５は、仮想マシンシステム全体の負荷の分散や省電力のために、自動的に仮想マシンを再配置する自動配置制御の機能を実現する。すなわち、自動配置手段１０５は、ホスト群１１０のリソースを仮想マシン１２１〜１２ｎに適切に再割り当てする。自動配置手段１０５は、仮想マシン１２１〜１２ｎの配置を任意のタイミングで変更する。なお、自動配置制御において、仮想マシン１２１〜１２ｎに割り当てるリソースを算出する具体的な実行内容および自動配置制御の実行時期は、例えば、仮想マシン１２１〜１２ｎが構築されている仮想化基盤に応じて、あらかじめ設定される。
【００２２】
上位ホスト１３０は、管理サーバ１００およびホスト群１１０と通信可能に接続し、ホスト群１１０および仮想マシン群１２０の動作を制御する。例えば、上位ホスト１３０は、ホスト群１１０の各ホストから、各ホストに配置されている仮想マシン群１２０の配置情報を定期的に収集する。そして、配置収集手段１０３によって配置情報の収集を要求された場合に、収集した配置情報を提供する。
【００２３】
図２は、図１に示す管理サーバによる仮想マシンの配置状態を特定の配置状態として記録する処理を示すフローチャートである。図２を参照して、図１に示す管理サーバ１００が、現在の仮想マシンの配置状態を特定の配置状態として記録する一連の動作を説明する。以下、特定の配置状態を初期設定という。
【００２４】
仮想マシンの配置状態を記録する配置記録の指示をユーザ端末から受けると（ステップＡ１）、管理サーバ１００において、配置記録手段１０１が、配置収集手段１０３に仮想マシン１２１〜１２ｎの配置情報の収集を指示する。そして、自動配置手段１０５は、仮想マシン群１２０に対する自動配置制御が行われないように抑制する（ステップＡ２）。
【００２５】
実際の仮想マシンシステムの運用において、仮想マシン群１２０を管理する管理サーバ１００と同様に、自動配置制御の機能によって配下の仮想マシン群を管理する別の管理サーバ（図示せず）が存在する場合が考えられる。そして、このような別の管理サーバが、管理サーバ１１０と通信可能に接続されている場合には、ステップＡ２において、自動配置手段１０５は、別の管理サーバに、別の管理サーバによって行われる自動配置制御を抑制するよう要求する。要求を受けた別の管理サーバは、自身の配下の仮想マシン群に対する自動配置制御の機能を抑制する。
【００２６】
ステップＡ２において自動配置制御の機能が抑制されると、配置収集手段１０３は、上位ホスト１３０やホスト群１１０と通信を行って、ホスト群１１０に配置されている仮想マシン１２１〜１２ｎについての配置情報を収集し（ステップＡ３）、収集した配置情報を配置記録手段１０１に出力する。
【００２７】
ステップＡ３において、配置収集手段１０３によって仮想マシン１２１〜１２ｎについての配置情報が収集されると、自動配置手段１０５は、ステップＡ２で抑制した自動配置制御の抑制を解除し、自動配置制御を再開する（ステップＡ４）。ステップＡ２において、別の管理サーバに自動配置制御の抑制を要求していた場合には、自動配置手段１０５は、当該別の管理サーバにも、自動配置制御の抑制の解除を要求する。
【００２８】
ステップＡ４において自動配置制御が再開されると、配置記録手段１０１は、ステップＡ２において配置収集手段１０３によって収集され出力された配置情報に基づいて、配置記録を作成する。そして、配置記録手段１０１は、作成した配置記録を初期設定として記録格納手段１０４に格納する（ステップＡ５）。
【００２９】
図３は、図１に示す管理サーバによる仮想マシンの配置状態を初期設定に復元する処理を示すフローチャートである。図３を参照して、図１に示す管理サーバ１００が、仮想マシンの配置状態を初期設定に復元する一連の動作を説明する。
【００３０】
図２に示された仮想マシンの特定の配置状態を記録する処理によって記録格納手段１０４に配置記録が格納されているときに、仮想マシンの配置状態を復元する配置復元の指示をユーザ端末から受けると（ステップＢ１）、管理サーバ１００において、配置復元手段１０２が、配置復元を指示された配置状態に応じた配置記録を、記録格納手段１０４から読み取る（ステップＢ２）。特に、記録格納手段１０４に複数の配置記録が格納されている場合には、格納されている複数の配置記録のうちから１つを選択して仮想マシンの配置状態を復元する配置復元の指示をユーザ端末から受けると、配置復元手段１０２が、選択された配置記録を記録格納手段１０４から読み取る。また、記録格納手段１０４に配置記録が格納されていない場合には、復元動作を終了する。
【００３１】
次に、自動配置手段１０５は、仮想マシン群１２０に対する自動配置制御が行われないように抑制する（ステップＢ３）。ステップＢ３の処理で管理サーバ１００と通信可能に接続されている別の管理サーバが存在する場合には、自動配置手段１０５は、別の管理サーバに、別の管理サーバによって行われる自動配置制御を抑制するよう要求する。要求を受けた別の管理サーバは、自身の配下の仮想マシン群に対する自動配置制御の機能を抑制する。すなわち、機能の実行を禁止する。
【００３２】
ステップＢ３において自動配置制御の機能が抑制されると、配置収集手段１０３は、上位ホスト１３０やホスト群１１０と通信を行って、ホスト群１１０に配置されている仮想マシン１２１〜１２ｎについての配置情報を収集し（ステップＢ４）、収集した配置情報を配置復元手段１０２に出力する。
【００３３】
次に、配置復元手段１０２は、ステップＢ２において読み取った配置記録と、ステップＢ４において出力された配置情報とを基に、復元処理を実行する（ステップＢ５）。復元処理の詳細な説明は、図４を参照して後述する。
【００３４】
ステップＢ５において復元処理が完了すると、自動配置手段１０５は、ステップＢ３で抑制した自動配置制御の抑制を解除し、自動配置制御を再開する（ステップＢ６）。ステップＢ３において、別の管理サーバに自動配置制御の抑制を要求していた場合には、自動配置手段１０５は、当該別の管理サーバにも、自動配置制御の抑制の解除を要求する。
【００３５】
図４は、図３に示すステップＢ５の復元処理を示すフローチャートである。
【００３６】
復元処理において、配置復元手段１０２は、図３のステップＢ２において読み取った配置記録と、図３のステップＢ４において出力された配置情報とを比較して、配置記録に存在していない仮想マシンの電源を全てＯＦＦにする（ステップＣ１）。具体的には、配置復元手段１０２が、電源ＯＦＦの対象となる仮想マシンに仮想マシン環境を提供しているホストまたは上位ホスト１３０に、プログラム等による指示を行って当該仮想マシンの電源をＯＦＦにさせる。
【００３７】
次に、配置復元手段１０２は、管理サーバ１００と通信可能に接続されている別の管理サーバに、ステップＣ１において電源をＯＦＦにした仮想マシンを配置するよう要求する。別の管理サーバから応答があった場合には、ステップＣ１において電源をＯＦＦにした仮想マシンを当該別の管理サーバの配下に移動させる。なお、仮想マシンの配置状態の復元を行う物理メモリとは別の所定の領域に、あらかじめステップＣ１において電源をＯＦＦにした仮想マシンの移動先を確保していてもよい。仮想マシンの移動が完了すると、配置復元手段１０２は、移動した仮想マシンの電源をＯＮにする（ステップＣ２）。ステップＣ２に示す処理によって、ホスト群１１０の物理メモリには、復元の対象となる仮想マシンだけが残る。
【００３８】
次に、配置復元手段１０２は、ホスト群１１０の物理メモリに構築されている仮想マシンを、図３のステップＢ２において読み取った配置記録に従って移動させる（ステップＣ３）。
【００３９】
次に、配置復元手段１０２は、管理サーバ１００と通信可能に接続されている別の管理サーバと通信を行い、図３のステップＢ２において読み取った配置記録に記載があり、図３のステップＢ４において出力された配置情報には記載がない仮想マシンが、別の管理サーバの配下で動作していないか確認をする。そのような仮想マシンが当該別の管理サーバの配下で動作していた場合には、当該別の管理サーバに当該仮想マシンの移動を要求し、図３のステップＢ２において読み取った配置記録に従って、当該仮想マシンを管理サーバ１００の配下に移動させる（ステップＣ４）。
【００４０】
最後に、配置復元手段１０２は、図３のステップＢ２において読み取った配置記録に記載があるが、ステップＣ３およびステップＣ４に示す処理によって移動されなかった仮想マシン、すなわち、配置状態を復元できなかった仮想マシンに関する情報をエラーとして出力する（ステップＣ５）。
【００４１】
このような管理サーバ１００が、配置復元の指示を受けると、仮想マシンの配置を、配置記録に記録されている初期設定に戻すことができるので、管理者や保守者は、ホストのメンテナンス等を行うときに、どの仮想マシンが提供するサービスが影響を受けるかを特定しやすくなり、仮想マシンの保守性を向上させることができる。
【００４２】
また、管理サーバ１００は、仮想マシンの配置を繰り返し同じ配置状態に戻すことができるので、自動配置制御の機能によってどれほどの配置のずれが発生するかを簡単に計測することができる。例えば、仮想マシンの配置状態が初期設定から大きくずれる場合には、初期設定の配置状態に問題があると考えられるので、初期設定の配置状態の変更を検討する必要がある。このように管理サーバ１００は、保守性の向上に貢献することができる。
【００４３】
なお、図３に示された処理では、仮想マシンの配置状態を初期設定に復元する処理が、ユーザ端末から配置復元の指示を受けてから開始されるが、あらかじめ決められている所定のタイミング（例えば、毎日の決まった時刻）に、仮想マシンの配置状態を初期設定に復元する処理が自動的に開始されるようにしてもよい。
【００４４】
そのような管理サーバ１００では、定期的に初期設定の配置状態に復元することによって、仮想マシンシステムの安定した運用が期待できる。また、経過時間による配置状態のずれの計測も、簡便に行うことができる。
【００４５】
また、仮想マシン１２１〜１２ｎの構成が変更されたときに、管理サーバ１００が仮想マシンの配置状態を初期設定に復元する処理を行うとしてもよい。仮想マシン１２１〜１２ｎの構成変更は、例えば、上位ホスト１３０が検出して管理サーバ１００に通知する。このような管理サーバ１００では、常に初期設定の配置状態が維持された仮想マシンシステムを実現することができる。
【００４６】
図５は、本発明による管理サーバの主要部を示すブロック図である。図５に示すように、管理サーバ１（例えば、図１に示す管理サーバ１００に相当）は、仮想マシンシステムにおける管理サーバであって、ホスト２１〜２３（例えば、図１に示すホスト１１１〜１１ｎに相当）に配置された仮想マシン３１〜３６（例えば、図１に示す仮想マシン１２１〜１２ｎに相当）の配置状態を示す配置情報を収集する配置収集手段４（例えば、図１に示す配置収集手段１０３に相当）と、配置収集手段４によって収集された配置情報を記録格納手段５（例えば、図１に示す記録格納手段１０４に相当）に格納する配置記録手段６（例えば、図１に示す配置記録手段１０１に相当）と、配置状態を復元する条件が成立すると、記録格納手段６に格納されている配置状態に従って仮想マシン３１〜３６を再配置する配置復元手段７（例えば、図１に示す配置復元手段１０２に相当）とを備えるように構成されている。
【００４７】
また、上記の実施形態では、以下の（１）〜（４）に示すような管理サーバも開示されている。
【００４８】
（１）配置復元手段は、あらかじめ決められているタイミングで、記録格納手段に格納されている配置状態に従って仮想マシンを再配置する管理サーバ。
【００４９】
（２）仮想マシンのホストに対する割り当てを自動的に変更する自動配置制御の機能を有する自動配置手段（例えば、図１に示す自動配置手段１０５に相当）を備え、自動配置手段は、配置収集手段が配置情報を収集する間、および配置復元手段が仮想マシンを再配置する間は、自動配置制御の機能を抑制する（例えば、図２のステップＡ２および図３のステップＢ３に示す動作によって実現される。）管理サーバ。
【００５０】
（３）管理サーバは、別の管理サーバと通信可能に接続され、配置復元手段は、記録格納手段に格納されている配置情報と、配置収集手段によって収集される現在の配置情報とを比較して、記録格納手段に格納されている配置情報に存在せず、現在の配置情報に存在する仮想マシンがある場合には、当該仮想マシンを別の管理サーバの配下に移動する（例えば、図４のステップＣ２に示す動作によって実現される。）管理サーバ。
【００５１】
（４）管理サーバは、別の管理サーバと通信可能に接続され、配置復元手段は、記録格納手段に格納されている配置情報と、配置収集手段によって収集される現在の配置情報とを比較して、現在の配置情報に存在せず、記録格納手段に格納されている配置情報に存在する仮想マシンがある場合には、当該仮想マシンが別の管理サーバの配下に存在しないか確認し、当該仮想マシンの管理サーバへの移動を要求する（例えば、図４のステップＣ４に示す動作によって実現される。）管理サーバ。
【符号の説明】
【００５２】
１      管理サーバ
２１，２２，２３  ホスト
３１，３２，３３，３４，３５，３６  仮想マシン
４      配置収集手段
５      記録格納手段
６      配置記録手段
７      配置復元手段
１００  管理サーバ
１０１  配置記録手段
１０２  配置復元手段
１０３  配置収集手段
１０４  記録格納手段
１０５  自動配置手段
１１０  ホスト群
１１１，１１２，１１ｎ  ホスト
１２０  仮想マシン群
１２１，１２２，１２ｎ  仮想マシン
１３０  上位ホスト
【図１】
0005549347.tif 000002
【図２】
0005549347.tif 000003
【図３】
0005549347.tif 000004
【図４】
0005549347.tif 000005
【図５】
0005549347.tif 000006